(57)【特許請求の範囲】
【請求項１】
互いに同期しているｎ（ｎは２以上の整数）ビットの第１画像データ及び１ビットの領域データと、前記第１画像データ及び領域データと非同期の第２画像データとを画像合成するために同期させるための画像処理装置であって、
ｎビット構成の第１ＦＩＦＯメモリと、
前記第２画像データを格納するための第２ＦＩＦＯメモリと、
前記第１画像データのみを出力する場合には前記第１画像データの最下位１ビットデータを選択して出力し、前記第１画像データと前記第２画像データとを同期して出力する場合には前記領域データを選択して出力する第１セレクタと、
前記第１セレクタによって出力された最下位１ビットデータあるいは前記領域データのいずれか一方と前記第１画像データの最下位ビット以外の画像データとを有する置換画像データを前記第１ＦＩＦＯメモリに書き込むための第１書込制御信号を出力する第１書込タイミング制御部と、
前記第２画像データを前記第２ＦＩＦＯメモリに書き込むための第２書込制御信号を出力する第２書込タイミング制御部と、
前記第１及び第２ＦＩＦＯメモリに格納されているデータを同期して読み出すための読み出し制御信号を出力する読み出しタイミング制御部と、
前記同期して読み出されたデータを合成する画像合成部と、
を備えた画像処理装置のデータ同期装置。
【請求項２】
前記第１ＦＩＦＯメモリから読み出された置換画像データの最下位１ビットの領域データを抽出する領域データ抽出部と、
前記領域データが抽出された置換画像データの最下位１ビットにデータを補完するデータ補完部と、
をさらに備えた請求項１に記載の画像処理装置のデータ同期装置。
【請求項３】
前記第１画像データは８ビットデータであり、前記領域データは１ビットデータであり、前記データ補完部で補完されるデータは０である、請求項２に記載の画像処理装置のデータ同期装置。
【請求項４】
前記第１画像データのみを出力する場合において前記第１セレクタが前記第１画像データの最下位１ビットデータを選択した場合に、領域データを選択する第２セレクタをさらに備えた、
請求項１から３のいずれかに記載の画像処理装置のデータ同期装置。
【請求項５】
互いに同期する第１画像データ及び領域データと、前記第１画像データ及び領域データと非同期の第２画像データとを第１及び第２ＦＩＦＯメモリを用いて画像合成するために同期させるための方法であって、
前記第１画像データのみを出力する場合には前記第１画像データの最下位１ビットデータを選択して出力し、前記第１画像データと前記第２画像データとを同期して出力する場合には前記領域データを選択して出力する置換ステップと、
前記一部がセレクタによって出力された最下位１ビットデータあるいは前記領域データのいずれか一方と前記第１画像データの最下位ビット以外の画像データとを有する置換画像データを前記第１ＦＩＦＯメモリに書き込む第１書込ステップと、
前記第２画像データを前記第２ＦＩＦＯメモリに書き込む第２書込ステップと、
前記第１及び第２ＦＩＦＯメモリから１つの読み出し制御信号で前記置換画像データ及び第２画像データを同期して読み出す読み出しステップと、
前記同期して読み出された置換画像データ及び第２画像データを合成する画像合成ステップとを備えた画像処理装置のデータ同期方法。
【請求項６】
前記読み出された第１画像データから前記領域データを抽出すると共に、前記第１画像データの前記領域データが抽出された部分のデータを補完するデータ抽出・補完ステップをさらに含む請求項５に記載の画像処理装置のデータ同期方法。
【発明の詳細な説明】
【０００１】
【発明の属する技術分野】
本発明は、データ同期装置及びデータ同期方法、より詳しくは、２つの非同期の画像データを同期させるための装置及び方法に関する。
【０００２】
【従来技術】
近年、ＦＡＸ機能部、プリンタ機能部、スキャナ機能部等を１つの装置内に有する複合機が提供されている。このような装置においては、異なる原稿からの文字や絵柄等の画像を合成することが可能である。例えば、ファクシミリ装置から得られた１ビットの画像データや予め登録された１ビットの画像データを、スキャナによって得られた８ビットの画像データと合成し、これらを１枚の用紙に印刷することが可能である。
【０００３】
このような装置においては、例えばスキャナーから得られた画像データとメモリに格納されているデータとは、それぞれ異なる処理が施されているので、合成する前の段階では互いの位相がずれている。このために、２つの画像を合成する前に互いの位相を一致させて同期させる必要がある。ここで、２つの処理ユニットからの互いに非同期の画像データを同期させるための技術として、特開平５−１３６９８１号公報に示された技術がある。ここでは、一方の処理ユニットからの画像データをＦＩＦＯメモリに入力しておき、他方の処理ユニットからのクロック信号に基づいてそのデータをＦＩＦＯメモリから読み出し、この読み出された画像データと他方の処理ユニットからの画像データとを合成している。
【０００４】
この技術によれば、他方の処理ユニットのクロック信号に基づいてＦＩＦＯメモリから画像データを読み出すので、この読み出された画像データと他方の処理ユニットからの画像データとを同期させることができる。
【０００５】
【発明が解決しようとする課題】
前記従来技術では、他方の処理ユニットからの画像データが、先にＦＩＦＯに入力されている必要がある。すなわち、２つの処理ユニットからの画像データの時間的な前後関係が予め決まっているような装置では、前記従来装置によって２つの処理ユニットからの非同期の画像データを同期させることができる。しかし、一般的には、２つの処理ユニットからの画像データのいずれが時間的に早く送られてくるかは不明な場合が多い。このような場合には、前記従来技術は利用できない。
【０００６】
本発明の課題は、２つのデータの時間的な前後関係に左右されることなく、それらを同期させることができるようにすることにある。また本発明の別の課題は、簡単な構成で２つの非同期の画像データを同期させることができるようにすることにある。
【０００７】
【課題を解決するための手段】
請求項１に係る画像処理装置のデータ同期装置は、互いに同期しているｎ（ｎは２以上の整数）ビットの第１画像データ及び１ビットの領域データと、第１画像データ及び領域データと非同期の第２画像データとを同期させるための装置であり、ｎビット構成の第１ＦＩＦＯメモリと、第２画像データを格納するための第２ＦＩＦＯメモリと、第１セレクタと、第１及び第２書込タイミング制御部と、読み出しタイミング制御部と、前記同期して読み出されたデータを合成する画像合成部とを備えている。
【０００８】
第１セレクタは、画像データの最下位１ビットデータあるいは領域データのいずれか一方を選択して出力する。第１書込タイミング制御部は第１セレクタによって出力された最下位１ビットデータあるいは領域データのいずれか一方を含む置換画像データを第１ＦＩＦＯメモリに書き込むための第１書込制御信号を出力する。第２書込タイミング制御部は第２画像データを第２ＦＩＦＯメモリに書き込むための第２書込制御信号を出力する。読み出しタイミング制御部は第１及び第２ＦＩＦＯメモリに格納されているデータを同期して読み出すための読み出し制御信号を出力する。
【０００９】
この装置では、第１画像データの最下位１ビットデータが領域データと置換される。これらのデータは互いに同期しているので、容易に置換が可能である。そして、置換されたデータは第１ＦＩＦＯメモリに書き込まれる。一方、第２画像データは第２ＦＩＦＯメモリに書き込まれる。これらの第１及び第２ＦＩＦＯメモリに格納されているデータは、共通の読み出し制御信号によって読み出される。したがって、読み出された時点で、第１画像データ及び領域データと第２画像データとは同期していることになる。
【００１０】
ここでは、３種類のデータを、２つのＦＩＦＯメモリを使用して同期させることができるので、簡単な構成で容易にデータを同期させることができる。また、ここでは、セレクタを用いることによって２つのＦＩＦＯメモリで画像データＡのみの出力または、画像データＡとＢとの合成した画像を出力することが可能となる。
【００１１】
請求項２に係る画像処理装置のデータ同期装置は、請求項１の装置において、第１ＦＩＦＯメモリから読み出された置換画像データのうちの最下位１ビットの領域データを抽出する領域データ抽出部と、領域データが抽出された置換画像データの最下位１ビットにデータを補完するデータ補完部とをさらに備えている。
【００１２】
ここでは、同期処理が施された後に、置換画像データから領域データが抽出され、第１画像データの抽出された空データ部分にデータが補完される。
【００１３】
請求項３に係る画像処理装置のデータ同期装置は、請求項１から２のいずれかに記載の装置において、第１画像データは８ビットデータであり、領域データは１ビットデータであり、データ補完部で補完されるデータは０である。
【００１４】
現在、市場に普及しているＦＩＦＯメモリは８ビット構成である。第１画像データが８ビットデータで領域データが１ビットデータの場合、それらを格納するためには２つの８ビットＦＩＦＯメモリが必要となり高価になる。
【００１５】
しかし、ここでは１つの８ビットＦＩＦＯで第１画像データ及び領域データを格納できるので、安価になる。また、領域データは１ビットデータであるので、第１画像データの最下位１ビットにこの領域データに置換し、その後データ「０」を補完しても、画像データそのものに大きな影響を与えない。
【００１６】
請求項４に係る画像処理装置のデータ同期装置は、請求項１から２のいずれかに記載の画像処理装置のデータ同期装置において、第１画像データのみを出力する際に第１セレクタが第１画像データの最下位１ビットデータを選択した場合に領域データを選択する第２セレクタをさらに備えている。
【００１７】
請求項５に係る画像処理装置のデータ同期方法は、互いに同期する第１画像データ及び領域データと、第１画像データ及び領域データと非同期の第２画像データとを第１及び第２ＦＩＦＯメモリを用いて同期させるための方法であり、以下のステップを備えている。
○第１画像データの最下位１ビットデータあるいは前記領域データのいずれか一方を選択して出力する置換ステップ。
○一部がセレクタによって出力された最下位１ビットデータあるいは領域データのいずれか一方を含む置換画像データを第１ＦＩＦＯメモリに書き込む第１書込ステップ。
○第２画像データを第２ＦＩＦＯメモリに書き込む第２書込ステップ。
○第１及び第２ＦＩＦＯメモリから１つの読み出し制御信号で第１画像データ及び第２画像データを同期して読み出す読み出しステップ。
【００１８】
ここでは、前記同様に、３種類のデータを２つのＦＩＦＯメモリを使用して同期させることができる。
【００１９】
請求項６に係る画像処理装置のデータ同期方法は、請求項５の方法において、読み出された第１画像データから領域データを抽出するとともに、第１画像データの領域データが抽出された部分にデータを補完するデータ抽出・補完ステップをさらに含んでいる。
【００２０】
【発明の実施の形態】
［第１実施形態］図１に本発明の一実施形態によるディジタル複写機のブロック構成図を示す。このディジタル複写機１は、ＣＰＵ、ＲＯＭ，ＲＡＭ等からなるマイクロコンピュータを含む主制御部２を有している。主制御部２には、操作部３、プログラム記憶部４、画像読み取り部５、画像記憶部６、領域判別部７、セレクタ制御部８、画像処理部９、プリント部１０及び入力ポート１１が接続されている。
【００２１】
操作部３は、操作パネル及びそのための回路等を含むものである。この操作部３を介してオペレータは処理のための指示を行う。プログラム記憶部４は、ＲＯＭ、ＲＡＭ等により構成されており、システム全体の制御プログラムが格納されている。画像読み取り部５は、スキャナー及びその駆動回路等を含み、原稿の画像情報を読み取ってディジタル画像データに変換するものである。画像記憶部６は、ＲＯＭ，ＲＡＭ等により構成されており、予め設定されている画像データや画像読み取り部５で読み取られた画像データ、さらには入力ポート１１を介して得られるファクシミリ装置やパーソナルコンピュータからの画像データ等を記憶するものである。
【００２２】
また領域判別部７は、画像読み取り部５によって読み取られた画像データにより、各画素データが文字領域のデータであるか、写真領域のデータであるかを判別するための領域データを作成するためのものである。セレクタ制御部８は、複数のＦＩＦＯメモリ及びセレクタ等を含み、２種類の画像データを合成する際に両画像データの位相を一致させたり、画像データ及びそれに付随する制御信号を適宜選択して出力するものである。画像処理部９は、画像データの合成、スムージング処理等の処理を画像データに対して行うものであり、ここでは印刷品質を向上させるために、領域判別部７からの領域データが用いられる。プリント部１０は、ディジタル複写機における画像形成部であり、感光体ドラム、現像装置、転写装置及び定着装置等を含んでいる。入力ポート１１は、コンピュータやワードプロセッサあるいはモデム等の接続される機器に応じた構成となっている。
【００２３】
セレクタ制御部８の具体的なブロック構成を図３に示す。図３に示すように、セレクタ制御部８は、８ビット構成の第１及び第２ＦＩＦＯメモリ２０，２１と、第１〜第４セレクタ２２，２３，２４，２５と、第１及び第２書込タイミング制御部２６，２７と、読み出しタイミング制御部２８とを有している。
【００２４】
このセレクタ制御部８には、図３に示すように、画像データＡ、画像データＢ及び領域データＣの３種類のデータが入力される。第１ＦＩＦＯメモリ２０は、画像データＡ及び第１セレクタ２２からのデータを受ける。第１セレクタ２２は、第１ＦＩＦＯメモリ２０に接続されており、画像データＡの一部又は領域データＣを選択的に受ける。第２ＦＩＦＯメモリ２１は画像データＢ又は領域データＣのいずれか一方を一時的に格納するものである。また第１ＦＩＦＯメモリ２０は第３セレクタ２４、第４セレクタ２５及びこのセレクタ制御部８の出力に接続されている。また、第２ＦＩＦＯメモリ２１は第４セレクタ２５及びこのセレクタ制御部８の出力に接続されている。
【００２５】
第１書込タイミング制御部２６は第２セレクタ２３及び第１ＦＩＦＯ２０に接続されている。第２書込タイミング制御部２７は第２セレクタ２３に接続されている。また読み出しタイミング制御部２８は第１ＦＩＦＯ２０及び第２ＦＩＦＯ２１に接続されている。図２及び図３に示すように、第１ＦＩＦＯメモリ２０は領域判別部７からの８ビット画像データＡを一時的に格納し、第２ＦＩＦＯメモリ２１は画像記憶部６からの８ビット又は１ビットの画像データＢ（図３では１ビット）を一時的に格納する。また、領域判別部７からは１ビットの領域データＣが送信されてきており、この領域データＣは画像データＡと同期している。領域データＣは第１ＦＩＦＯメモリ２０又は第２ＦＩＦＯメモリ２１のいずれか一方に格納される。
【００２６】
第１ＦＩＦＯメモリ２０は、第１セレクタ２２からのデータ、すなわち、８ビット画像データＡのうちの最下位１ビットのデータあるいは領域データＣのいずれかを格納する。また、第２セレクタ２３は、第１書込タイミング制御部２６からの書込制御信号あるいは第２書込タイミング制御部２７からの書込制御信号を選択して第２ＦＩＦＯメモリ２１に供給する。第３セレクタ２４は第１ＦＩＦＯメモリ２０の最下位１ビットデータあるいはデータ「０」を選択して出力する。第４セレクタ２５は第１ＦＩＦＯメモリ２０の最下位１ビットデータ（領域データＣ）あるいは第２ＦＩＦＯメモリ２１から出力される領域データＣを選択して出力する。
【００２７】
第１書込タイミング制御部２６は、第１及び第２ＦＩＦＯメモリ２０，２１にデータを書き込むタイミングを制御するための書込制御信号を出力する。この書込制御信号は、図５に示すように、画像データ書込開始信号WREN1と書込のためのクロック信号WCLK1とから構成されている。また、第２書込タイミング制御部２７は、第２ＦＩＦＯメモリ２１にデータを書き込むタイミングを制御するための書込制御信号を出力する。この書込制御信号は、図５に示すように、画像データ書込開始信号WREN2と書込のためのクロック信号WCLK2とから構成されている。
【００２８】
読み出しタイミング制御部２８は、第１及び第２ＦＩＦＯメモリ２０，２１からデータを読み出すタイミングを制御するための読み出し制御信号を出力する。読み出し制御信号は、図５に示すように、画像データ読み出し開始信号RDENと読み出しのためのクロック信号RCLKとから構成されている。また、画像処理部９は、図４に示すように、画像記憶部６からの１ビット画像データＢを８ビットデータに変換するための２値／多値変換部３０と、８ビット画像データＡと８ビットデータに変換された画像データＢとを合成したりあるいはいずれか一方を選択して出力するセレクト／合成部３１と、領域処理及び出力パルス生成処理部３２とを有している。領域処理及び出力パルス生成処理部３２は、画像データＡ又はＢ及び領域データＣを受け、指定された各領域に対して指定された画像処理を行い、処理後の画像データに応じた出力パルスを生成する。
【００２９】
次に動作について説明する。図２は、前記ディジタル複写機において、２つの画像データの合成を行う場合の画像データの流れを示している。ここでは、図６に示すように、画像読み取り部５のスキャナーで読み取った画像データＡに、画像記憶部６に予め格納されている登録画像データＢ「ＴＯＰＳＥＣＲＥＴ」を合成する場合を例にとる。なお、画像データＢとしては、入力ポート１１を介して入力されるファクシミリ装置、コンピュータ、モデム等からの画像データでも良い。
【００３０】
まず、画像読み取り部５のスキャナによって、図６の領域Ａに示すような画像データＡが読み取られる。この画像データＡは８ビットデータとして領域判別部７に送られる。この領域判別部７では、画像データＡに対して１ビットの領域データＣを生成し、画像データＡとともにセレクト制御部８に送る。画像データＡと領域データＣとは同期している。
【００３１】
ここで、領域データＣとは、画像データＡの各画素データが文字データであるか写真データであるかを判別するためのデータである。例えば図６に示すように、原稿の画像情報が、文字データａ１，ａ３と写真データａ２とを含む場合、文字データａ１，ａ３に対しては領域データＣとしてデータ「０」が、写真データａ２に対しては領域データＣとて「１」がそれぞれ作成される。なお、画像データＡと領域データＣとは同期している。一方、画像記憶部６からは、１ビットの画像データＢが読み出され、セレクト制御部８に送られる。
【００３２】
セレクト制御部８では、画像データＡ、領域データＣ及び画像データＢの位相がそろえられて出力される。次に画像処理部９では、画像データＡと画像データＢとが合成され、プリント部１０によって印刷される。印刷結果を図６に示す。次に、セレクト制御部８での動作を図３、図５、図７及び図８を用いて詳細に説明する。
【００３３】
通常は画像データＡのみが印刷される動作が行われる。この場合は、各セレクタ２２〜２５は以下のように制御される（図７の２列目参照）。すなわち、第１セレクタ２２は画像データＡ（最下位１ビット）を選択し、第２セレクタ２３は第１書込タイミング制御部２６からの書込制御信号を選択し、第３セレクタ２４は第１ＦＩＦＯメモリ２０から出力される８ビットデータの最下位ビットを選択し、第４セレクタ２５は第２ＦＩＦＯメモリ２１からのデータを選択するように制御される。
【００３４】
この状態では、８ビット画像データＡは、上位７ビットデータがそのまま第１ＦＩＦＯメモリ２０に入力され、最下位１ビットのデータが第１セレクタ２２を介して第１ＦＩＦＯメモリ２０に入力される。また領域データＣは第２ＦＩＦＯメモリ２１に入力される。各ＦＩＦＯメモリ２０，２１は第１書込タイミング制御部２６からの書込制御信号により書込タイミングが制御される。各ＦＩＦＯメモリ２０，２１に格納された画像データＡ及び領域データＣは、読み出しタイミング制御部２８からの読み出し制御信号によってそれぞれ同期して読み出される。第１ＦＩＦＯメモリ２０から読み出された画像データＡのうち最下位１ビットのデータは第３セレクタ２４を介して他の７ビットのデータとともに画像処理部９に送られる。また、第２ＦＩＦＯメモリ２１から読み出された領域データＣは、第４セレクタ２５を介して画像処理部９に送られる。
【００３５】
図８は画像データＡと画像データＢとを合成する場合のデータの流れを示している。画像データの合成を行う場合は、各セレクタ２２〜２５は、図７の１列目に示すように制御される。ここでは、第１セレクタ２２は領域データＣを選択し、第２セレクタ２３は第２書込タイミング制御部２７からの書込制御信号を選択し、第３セレクタ２４はデータ「０」を選択し、第４セレクタ２５は第１ＦＩＦＯメモリ２０から出力される最下位ビットのデータ（領域データＣ）を選択するようにそれぞれ制御される。
【００３６】
この状態では、スキャナから送られてきた画像データＡは第１書込タイミング制御部２６からの書込制御信号（図５のWREN1及びWCLK1）によって第１ＦＩＦＯメモリ２０に書き込まれる。このとき、図８に示すように、上位７ビットデータＤ１〜Ｄ７はそのまま第１ＦＩＦＯメモリ２０に書き込まれるが、最下位１ビットのデータＤ０は第１セレクタ２２によって選択された領域データＣに置き換えられて第１ＦＩＦＯメモリ２０に書き込まれる。ここで、画像データＡと領域データＣとは互いに同期しているので、同じ第１ＦＩＦＯメモリ２０に何ら問題なく書き込むことができる。
【００３７】
一方、画像記憶部６からの画像データＢは、第２書込タイミング制御部２７からの書込制御信号（図５のWREN2及びWCLK2）によって、そのまま第２ＦＩＦＯメモリ２１に書き込まれる。ここで、画像データＡ及び領域データＣと画像データＢとは、それぞれの処理中に異なる遅延を受けるので、図５に示すように、互いの位相がずれている。このため、これらを同じタイミングでＦＩＦＯメモリに書き込むことはできず、これらの全てのデータを同じＦＩＦＯメモリに書き込むことはできない。したがって、図５に示すように、それぞれ異なるタイミングで、画像データＡ及び領域データＣは第１ＦＩＦＯメモリ２０に書き込まれ、画像データＢは第２ＦＩＦＯメモリ２１に書き込まれる。
【００３８】
各ＦＩＦＯメモリ２０，２１のデータを読み出す場合は、両ＦＩＦＯメモリ２０，２１に読み出しタイミング制御部２８から読み出し制御信号（図５のRDEN及びRCLK）を送る。この１つの読み出し制御信号によって、図５に示すように、２つのＦＩＦＯメモリ２０、２１からそれぞれ同期してデータが読み出される。図８に示すように、第１ＦＩＦＯメモリ２０から読み出された画像データＡのうちの上位７ビットのデータＤ１〜Ｄ７は、そのまま画像処理部９に出力されるが、最下位１ビットのデータ（領域データＣ）は第４セレクタ２５を介して領域データＣとして画像処理部９に出力される。この領域データＣの代わりに、第３セレクタ２４によって選択されたデータ「０」が画像データＡの最下位ビットデータＤ０として出力される。
【００３９】
また、第２ＦＩＦＯメモリ２１から読み出された画像データＢはそのまま画像処理部９に出力される。以上のようにして、画像データＡ、領域データＣ及び画像データＢを同期させることができる。ＦＩＦＯメモリは８ビット構成が一般的であるので、８ビットの画像データＡと、１ビットの領域データＣと、画像データＡと非同期の１ビットの画像データＢとを同期させる場合、それそれのデータを格納するための８ビット構成のＦＩＦＯメモリが必要になる。すなわち、３つの８ビットのＦＩＦＯメモリが必要になる。しかし本実施形態では、互いに同期する８ビットの画像データＡと１ビットの領域データＣとを、画像データＡの最下位ビットを領域データＣで置き換えることによって１つのＦＩＦＯメモリに格納している。このため、２つのＦＩＦＯメモリで画像データＡ、領域データＣ及び画像データＢを同期させることができる。
【００４０】
［第２実施形態］図９に示すように、各処理ユニットにそれぞれＦＩＦＯメモリを設けて、各データを同期させるようにしてもよい。この実施形態では、第１処理ユニット４０から画像データＡと領域データＣとが出力される。第１処理ユニット４０は、第１実施形態の画像読み取り部５及び領域判別部７に相当している。また、第２処理ユニット４１から画像データＢが出力される。この画像データＢは画像データＡと非同期である。第２処理ユニット４１は、第１実施形態による画像記憶部６に相当している。
【００４１】
ここでは、第１処理ユニット４０からの画像データＡは第１ＦＩＦＯメモリ４２に書き込まれ、領域データＣは第２ＦＩＦＯメモリ４３に書き込まれ、画像データＢは第３ＦＩＦＯメモリ４４に書き込まれる。書込のタイミングはそれぞれ異なるが、画像データＡと領域データＣとは同じタイミングで書き込むことが可能である。
【００４２】
各ＦＩＦＯメモリ４２〜４４に書き込まれたデータは、１つの読み出し制御信号によって読み出される。これにより、各ＦＩＦＯメモリ４２〜４４から出力されるデータは同期する。そして同期した各データは第３処理部４５に入力され、画像合成等の処理が行われる
【００４３】
【発明の効果】
以上のようにこの発明では、２つのデータの時間的な前後関係にかかわらず、容易に同期させることができる。また、３種類にデータを、２つのＦＩＦＯメモリを用いて簡単な構成で容易に同期させることができる。
【図面の簡単な説明】
【図１】  本発明の一実施形態が採用された画像処理装置のブロック構成図。
【図２】  前記装置のデータフロー図。
【図３】  前記装置のセレクタ制御部の詳細ブロック構成図。
【図４】  前記装置の画像処理部のブロック構成図。
【図５】  前記装置の動作を説明するための制御信号のタイミングチャート。
【図６】  処理される画像の一例を示す図。
【図７】  セレクタ制御部の制御動作を説明するための図。
【図８】  前記装置の動作を説明するためのデータ構成図。
【図９】  本発明の他の実施形態を示す概略ブロック構成図。
【符号の説明】
１  ディジタル複写機
２  主制御部
８  セレクタ制御部
９  画像処理部
２０，２１  ＦＩＦＯメモリ
２２，２３，２４，２５  セレクタ
２６，２７  書込タイミング制御部
２８  読み出しタイミング制御部
【図１】
0003719787.tif 000002
【図２】
0003719787.tif 000003
【図３】
0003719787.tif 000004
【図４】
0003719787.tif 000005
【図５】
0003719787.tif 000006
【図６】
0003719787.tif 000007
【図７】
0003719787.tif 000008
【図８】
0003719787.tif 000009
【図９】
0003719787.tif 000010